(57)【要約】      （修正有）【課題】構成が複雑になることなく、使用者の目的に応じて、操作面が傾斜を持つようにして机上などの載置面に載置可能な電子機器を提供する。【解決手段】載置面と対向する底面１ＢＴの左上端部と右上端部とに設けられ、畳んだ状態と起こした状態とに遷移可能な板状体である脚部１１ａ、１１ｂを備え、脚部を畳んだ状態では、脚部の長辺と短辺とで囲まれた脚部の側面１１ａＳ、１１ｂＳが、載置面と接して小さい傾斜角度で操作面１Ｓを傾斜させ、脚部を起こした状態では脚部の短辺と厚み方向の辺とで囲まれた脚部の底面が、載置面と接して大きな傾斜角度で操作面を傾斜させる。【選択図】図２
0003224999.tif 000002
【実用新案登録請求の範囲】
【請求項１】
載置面と対向する底面の左上端部と右上端部とに設けられ、畳んだ状態と起こした状態とに遷移可能な板状体である脚部を備え、
前記脚部を畳んだ状態では、前記脚部の２つの長辺と２つの短辺とで囲まれた前記脚部の側面が、前記載置面と接することにより小さい傾斜角度で操作面を傾斜させ、
前記脚部を起こした状態では前記脚部の２つの短辺と厚み方向の２つの辺とで囲まれた前記脚部の底面が、前記載置面と接することにより大きな傾斜角度で操作面を傾斜させる
ことを特徴とする電子機器。
【請求項２】
請求項１に記載の電子機器であって、
前記脚部の底面は、その全面が前記載置面に接触するように、傾斜が設けられていることを特徴とする電子機器。
【請求項３】
請求項１に記載の電子機器であって、
前記底面の前記左上端部と前記右上端部とのそれぞれに設けられる前記脚部の間には、前記脚部が畳まれた状態のときに、前記脚部と共に前記載置面に接する固定脚部が設けられることを特徴とする電子機器。
【請求項４】
請求項１、請求項２または請求項３のいずれかに記載の電子機器であって、
前記底面の前記左上端部と前記右上端部とのそれぞれに設けられる前記脚部に対応する位置に、畳まれた状態の前記脚部の一部を収納する溝部が設けられていることを特徴とする電子機器。
【請求項５】
請求項１、請求項２または請求項３のいずれかに記載の電子機器であって、
前記脚部の前記載置面と接する部分には、滑り止め部材が設けられていることを特徴とする電子機器。
【請求項６】
請求項３に記載の電子機器であって、
前記固定脚部の前記載置面と接する部分には、滑り止め部材が設けられていることを特徴とする電子機器。
【請求項７】
請求項４に記載の電子機器であって、
当該電子機器は、電子ペンによる指示位置を検出する位置検出センサを備えており、
前記溝部の底部には、前記電子ペンに装着する芯体を保持する芯体保持部が設けられていることを特徴とする電子機器。
【請求項８】
請求項４に記載の電子機器であって、
電子ペンによる指示位置を検出する位置検出センサを備えており、
前記溝部の底部には、前記電子ペンに装着された芯体を取り外すための芯抜き部が設けられていることを特徴とする電子機器。
【請求項９】
請求項１に記載の電子機器であって、
表示装置を備えることを特徴とする電子機器。
【考案の詳細な説明】
【技術分野】
【０００１】
この考案は、例えば、ペンタブレットなどの電子機器であって、使用者（ユーザ）の操作を受け付ける操作面を、使用者側が低くなるように傾けて机上等の載置面に載置可能な電子機器に関する。
【背景技術】
【０００２】
例えば、ノート型パソコンなどの電子機器の中には、キーボードの操作面を見易くすると共に、操作し易くするため、机上に置いたときに使用者側が低くなるように傾斜を持たせるための脚部が設けられているものがある。例えば、後に記す特許文献１には、機器本体の後面に配された各種コネクタを覆うためのチルトカバーを脚部として利用可能にした携帯型コンピュータに関する考案が開示されている。
【０００３】
また、後に記す特許文献２には、必要に応じて携帯型電子機器の本体内より引き出すことが可能で、その引き出す長さの調整も可能な脚部（ハンドル）に関する考案が開示されている。また、後に記す特許文献３には、電子機器の本体後端下部に回動軸を中心に回動可能であり、かつ、上下方向に摺動可能に脚体を装着すると共に、トーションスプリングによりこの脚体を常に本体の下方に回動付勢する脚付き電子機器に関する発明が開示されている。
【先行技術文献】
【特許文献】
【０００４】
【特許文献１】実開平５−４２３５号公報
【特許文献２】実開平６−６５９１６号公報
【特許文献２】特開平９−１８１６１号公報
【考案の概要】
【考案が解決しようとする課題】
【０００５】
近年においては、ペンタブレットと呼ばれる電子機器も広く利用されるようになってきている。ペンタブレットは、電子ペンやスタイラスなどと呼ばれるペン状の指示子を用いてポインティング操作をするタブレットの一種である。この明細書において、タブレットは、板状に形成されたコンピュータやコンピュータ周辺機器を意味する。なお、ペンタブレットには、ＬＣＤ（Liquid Crystal Display）などの薄型の表示装置と位置検出センサとを備え、描画入力と描画表示とを行えるものがある。また、ペンタブレットには、位置検出センサは備えるが、表示装置は備えず、パーソナルコンピュータに接続されて入力デバイスとして機能するものもある。
【０００６】
いずれのペンタブレットであっても、その形状は板状のものである。このため、机上に置いて使用する場合には、使用者側が低くなるように傾斜を持たせた方が、使用者の視線の操作面への入射角度が９０度に近くなり、操作面の全面を均等に見ることができるようになる。これにより、指示子を用いた入力もし易くなる。しかし、ペンタブレットは、比較的に小さな傾斜角度の場合と大きな傾斜角度の場合との少なくとも２種類の傾斜角度で使用できるようにしておくことが望ましい。このため、上述した特許文献２に記載の考案のように、脚部（ハンドル）の引き出す長さを調整できるようにすれば、ペンタブレットの傾斜角度を所望の角度に調整できる。
【０００７】
しかしながら、近年のペンタブレットは非常に薄型であり、長さの調節の可能な脚部を設けることは難しい。また、ペンタブレットの傾斜角度を小さく保つための第１の脚部と、ペンタブレットの傾斜角度を大きく保つための第２の脚部との両方を備えるようにすることも考えられるが、この場合、脚部の構成が複雑になったり、部品点数が多くなったりするため好ましくない。また、ペンタブレットに設ける脚部は、安定にペンタブレットを支えることができ、かつ、滑りにくいものでなければならない。
【０００８】
以上のことに鑑み、この考案は、構成が複雑になることなく、使用者の目的に応じて、操作面が傾斜を持つようにして机上などの載置面に載置可能な電子機器を提供することを目的とする。
【課題を解決するための手段】
【０００９】
上記課題を解決するため、
載置面と対向する底面の左上端部と右上端部とに設けられ、畳んだ状態と起こした状態とに遷移可能な板状体である脚部を備え、
前記脚部を畳んだ状態では、前記脚部の２つの長辺と２つの短辺とで囲まれた前記脚部の側面が、前記載置面と接することにより小さい傾斜角度で操作面を傾斜させ、
前記脚部を起こした状態では前記脚部の２つの短辺と厚み方向の２つの辺とで囲まれた前記脚部の底面が、前記載置面と接することにより大きな傾斜角度で操作面を傾斜させる
ことを特徴とする電子機器を提供する。
【００１０】
この電子機器によれば、載置面と対向する底面の左上端部と右上端部とに設けられる脚部は、畳んだり起こしたりできるものである。脚部を畳んだ状態では、小さい傾斜角度で操作面を傾斜させ、脚部を起こした状態では、大きな傾斜角度で操作面を傾斜させる。これにより、当該電子機器を机上などの載置面に載置する場合に、使用者の目的に応じて、小さい傾斜角度で操作面を傾斜させたり、大きな傾斜角度で操作面を傾斜させたりすることができるようにされる。
【図面の簡単な説明】
【００１１】
【図１】実施の形態の電子機器の概略構成を説明するための分解斜視図である。
【図２】実施の形態の電子機器の脚部を畳んだ状態の底面図と横側面図である。
【図３】実施の形態の電子機器の脚部を起こした状態の底面図と横側面図と脚部の側面図と底面図である。
【図４】実施の形態の電子機器の底面図と脚部含む部分の断面図と脚部の断面の拡大図である。
【考案を実施するための形態】
【００１２】
以下、図を参照しながら、この考案による電子機器の一実施の形態について説明する。この考案は、例えば、ペンタブレット、タブレットＰＣ（Personal Computer）、ノート型ＰＣなどの種々の電子機器に適用可能である。以下においては、説明を簡単にするため、この考案による電子機器をペンタブレットに適用した場合を例にして説明する。また、ペンタブレットには、表示装置を備えるものと、備えないものとがあり、いずれにもこの考案を適用可能であるが、以下に説明するペンタブレットは、表示装置を備える場合の例である。
【００１３】
［ペンタブレットの概略構成］
図１は、実施の形態のペンタブレットの概略構成を説明するための分解斜視図である。図１に示すように、ペンタブレットは、筐体１Ｂ内の最下層にマザーボード４が収納され、その上に位置検出センサ３が積層される。位置検出センサ３の上には、表示画面２Ｄを上側（フロントパネル１Ａ側）にして表示装置であるＬＣＤ（Liquid Crystal Display）２が設けられる。ＬＣＤ２の表示画面２Ｄの上側にはフロントパネル１Ａが設けられる。このように、マザーボード４、位置検出センサ３、ＬＣＤ２が筐体１Ｂ内に収納されて、フロントパネル１Ａにより封入されてペンタブレットが構成される。
【００１４】
マザーボード４には、図示しないが、例えば、位置検出回路、ＬＣＤ２用の制御回路、外部機器との接続用のインターフェース回路、近距離無線通信回路などの種々の回路が搭載されている。位置検出センサ３は、この実施の形態では、電磁誘導方式のものであり、マザーボード４に搭載された位置検出回路と共に、位置検出装置を構成する。ＬＣＤ２は、マザーボード４のＬＣＤ用の制御回路に接続され、ペンタブレットの表示部として機能する。フロントパネル１ＡにはＬＣＤ２の表示画面２Ｄが露呈する開口部が設けられており、この開口部には保護ガラスが設けられている。このフロントパネル１Ａの開口部に設けられている保護ガラス上が操作面１Ｓになる。
【００１５】
この実施の形態においては、図１に示すように、ＬＣＤ２全体と位置検出センサ３全体とは、形状、大きさともほぼ同じである。また、ＬＣＤ２の表示画面２Ｄは長方形のものであるが、その角部は丸みを帯びて曲線部となっている。そして、位置検出センサ３の検出エリア３Ｅは、ＬＣＤ２の表示画面２Ｄと形状、大きさともほぼ同じである。すなわち、位置検出センサ３の検出エリア３Ｅもまた長方形のものであり、その角部が丸みを帯びた曲線部となっている。
【００１６】
図１に示すように、ＬＣＤ２の表示画面２Ｄの全面に対応して位置検出センサ３の検出エリア３Ｅが設けられる。つまり、表示画面２Ｄ上の位置は、必ず位置検出センサ３の検出エリア３Ｅ上の位置が対応しているので、表示画面２Ｄ上のどの位置が指示されたとしても、その指示位置を適切に検出できるようになっている。通常、位置検出センサ３の検出エリア３Ｅは、ＬＣＤ２の表示画面２Ｄと同一形状で、ＬＣＤ２の表示画面２Ｄよりもやや大きく構成される。
【００１７】
また、図１に示したように、フロントパネル１Ａ及び筐体１Ｂからなるペンタブレットの本体の四角も丸みを帯びて曲線部となっている。また、ＬＣＤ２と位置検出センサ３の外縁の四角も丸みを帯びて曲線部となっている。これにより、ＬＣＤ２及び位置検出センサ３の大きさを、ペンタブレットの本体の大きさに近づけることができる。このように、この実施の形態のペンタブレットは、位置検出センサ３とＬＣＤ２とを備え、位置検出センサ３を通じて指示入力を受け付け、ＬＣＤ２を通じて情報を出力することができるものである。
【００１８】
なお、図１に示したペンタブレットでは、ＬＣＤ２の下側に電磁誘導方式の位置検出センサ３を設けるようにしたが、これに限るものではない。電磁誘導方式の位置検出センサ３に替えて、ＬＣＤ２の上側に静電結合方式の位置検出センサを設けることも可能である。また、ＬＣＤ２の下側に電磁誘導方式の位置検出センサ３を設け、更に、ＬＣＤ２の上側に静電結合方式の位置検出センサを設けて、２つの異なる方式の位置検出センサを備えたいわゆるハイブリッド型のペンタブレットを構成することも可能である。
【００１９】
［ペンタブレットの底面の構成］
図２は、実施の形態のペンタブレットの脚部１１ａ、１１ｂを畳んだ状態の底面図（図２（Ａ））と横側面図（図２（Ｂ））である。なお、図２（Ｂ）は、図２（Ａ）の矢印ａが示す側から見た場合の横側面図である。また、図３は、実施の形態のペンタブレットの脚部１１ａ、１１ｂを起こした状態の底面図（図３（Ａ））と横側面図（図３（Ｂ））と脚部１１ａ、１１ｂの側面図（図３（Ｃ））と底面図（図３（Ｄ））である。なお、図３（Ｂ）は、図３（Ａ）の矢印ａが示す側から見た場合の横側面図である。
【００２０】
図２（Ａ）に示すペンタブレットの筐体１Ｂの底面１ＢＴは、ペンタブレットが載置される机やテーブルなどの天板の上面である載置面と対向する部分である。ペンタブレットの筐体１Ｂの底面１ＢＴには、図２（Ａ）に示すように、その左上端部と右上端部とに、脚部１１ａ、１１ｂが設けられる。脚部１１ａ、１１ｂは、畳んだ状態（図２（Ａ）、（Ｂ））と起こした状態（図３（Ａ）、（Ｂ））とに遷移可能な板状体であって、畳んだ状態では底面１ＢＴの上端１ＪＴに対して長辺ａＴ１、ａＴ２、ｂＴ１、ｂＴ２が沿うようになっている。
【００２１】
この実施の形態では、図２（Ａ）に示すように、脚部１１ａ、１１ｂを畳んだ状態において、脚部１１ａの長辺ａＴ１、ａＴ２と、脚部１１ｂの長辺ｂＴ１、ｂＴ２とは、底面１ＢＴの上端１ＪＴに対して平行となるようにされている。脚部１１ａは、畳んだ状態では、図２（Ａ）に示すように、２つの長辺ａＴ１、ａＴ２と、２つの短辺ａＳ１１、ａＳ２１とで囲まれた脚部１１ａの側面１１ａＳが載置面と接する。同様に、脚部１１ｂ、畳んだ状態では、図２（Ａ）に示すように、２つの長辺ｂＴ１、ｂＴ２と、２つの短辺ｂＳ１１、ｂＳ２１とで囲まれた脚部１１ｂの側面１１ｂＳが載置面と接する。
【００２２】
この場合には、図２（Ｂ）に示すように、底面１ＢＴの左上端部に設けられ畳まれた脚部１１ｂと右上端部に設けられ畳まれた脚部１１ａとの機能により、ペンタブレットは、使用者側が低く、その反対側が高くされる。この時の傾斜角度は、図２（Ｂ）に示したように、小さい傾斜角度で、ペンタブレットの操作面１Ｓを傾斜させることになる。なお、図２（Ａ）において、突起１３ａ、１３ｂは、底面１ＢＴのユーザ側に設けられた保護部材であり、例えばラバー（ゴム）素材により形成され、筐体１Ｂの底面１ＢＴを保護すると共に、滑り止めとしても機能する。
【００２３】
また、底面１ＢＴの左上端部と右上端部とのそれぞれに設けられる脚部１１ａ、１１ｂの間には、脚部１１ａ、１１ｂが畳まれた状態のときに、脚部１１ａ、１１ｂと共に載置面に接する固定脚部１２が設けられている。これにより、脚部１１ａ、１１ｂと固定脚部１２とによって、底面１ＢＴの後端部分を載置面から持ち上げ、安定に小さい傾斜角度で操作面１Ｓを傾斜させることができる。なお、小さい傾斜角度は、後述もするように、脚部１１ａ、１１ｂを起こした状態のときに比べて小さな角度で操作面１Ｓを傾斜させることを意味している。
【００２４】
また、図２（Ａ）、図３（Ａ）に示すように、底面１ＢＴの左上端部と右上端部とのそれぞれに設けられる脚部１１ａ、１１ｂに対応する位置には、畳まれた状態の脚部１１ａ、１１ｂの一部を収納する溝部１０ａ、１０ｂが設けられている。この溝部１０ａ、１０ｂは、脚部１１ａ、１１ｂがある程度の厚みを有することにより強度を持たせるようにした場合であっても、折り畳まれた状態の脚部１１ａ、１１ｂが、必要以上にペンタブレットの後端部分を載置面から持ち上げないようにできる。また、溝部１０ａ、１０ｂは、畳まれた状態の脚部１１ａ、１１ｂを保護する機能も有する。
【００２５】
この実施の形態においては、溝部１０ａの右端側（ペンタブレットの右外縁側）において、脚部１１ａの右端部を回動可能に筐体１Ｂに固定することにより、脚部１１ａを畳んだり、起こしたりすることができるようにしている。同様に、溝部１０ｂの左端側（ペンタブレットの左外縁側）において、脚部１１ｂの左端部を回動可能に固定することにより、脚部１１ｂを畳んだり、起こしたりすることができるようにしている。
【００２６】
更に、この実施の形態では、図３（Ａ）に示すように、脚部１１ａ、１１ｂを起こした状態の時には、脚部１１ａの底面１１ａＴと脚部１１ｂの底面１１ｂＴとが載置面と接する。脚部１１ａの底面１１ａＴは、脚部１１ａの２つの短辺ａＳ１２、ａＳ２１と、脚部１１ａの厚み方向の２つの辺ａＡ１１、ａＡ１２とで囲まれた部分である。脚部１１ｂの底面１１ｂＴは、脚部１１ｂの２つの短辺ｂＳ１２、ｂＳ２１と、脚部１１ｂの厚み方向の２つの辺ｂＡ１１、ｂＡ１２とで囲まれた部分である。
【００２７】
この場合には、図３（Ｂ）に示すように、底面１ＢＴの左上端部に設けられ、起こされた状態の脚部１１ｂと、右上端部に設けられ、起こされた状態の脚部１１ａとの機能により、ペンタブレットは、使用者側が低く、その反対側がより高くされる。この時の傾斜角度は、図３（Ｂ）と図２（Ｂ）とを比較すると分かるように、より大きい傾斜角度で、ペンタブレットの操作面１Ｓを傾斜させることになる。従って、使用者は、自分の使用目的に応じて、図２（Ａ）、（Ｂ）に示したように、小さい傾斜角度で操作面１Ｓを傾けて使用したり、図３（Ａ）、（Ｂ）に示したように、大きい傾斜角度で操作面１Ｓを傾けて使用したりできる。
【００２８】
また、図３（Ｃ）、（Ｄ）に示すように、脚部１１ａの側面１１ａＳと底面１１ａＴとには、ラバー（ゴム）が貼付され、脚部１１ａを保護すると共に滑り止めとしても機能する。同様に、脚部１１ｂの側面１１ｂＳと底面１１ｂＴとには、ラバー（ゴム）が貼付され、脚部１１ｂを保護すると共に滑り止めとしても機能する。また、固定脚部１２の載置面と接する面にも、ラバー（ゴム）が貼付され、固定脚部１２を保護すると共に滑り止めとしても機能する。
【００２９】
また、図３（Ｂ）、（Ｃ）に示したように、脚部１１ａの底面１１ａＴは、ペンタブレットの後端側から前端側に向かって下がるように傾斜を持つ構成となっている。同様に、脚部１１ｂの底面１１ｂＴもまた、ペンタブレットの後端側から前端側に向かって下がるように傾斜を持つ構成となっている。これにより、脚部１１ａ、１１ｂの底面１１ａＴ、１１ｂＴは、その全面が載置面と接触するようになる。従って、脚部１１ａ、１１ｂを起こした状態でも、脚部１１ａ、１１ｂの底面１１ａＴ、１１ｂＴの全面が載置面と接触することにより、安定にペンタブレットを支えることができる。
【００３０】
また、図３（Ｄ）に示すように、脚部１１ａの載置面と接する側の側面１１ａＳは、円弧状に形成されている。図示しないが、脚部１１ｂの載置面と接する側の側面１１ｂＳや固定脚部１２の対応面もまた、同様に円弧状に形成されている。このため、脚部１１ａ、１１ｂを畳んで使用する場合には、脚部１１ａ、１１ｂの円弧状になった側面１１ａＳ、１１ｂＳや円弧状になった固定脚部１２の対応面と載置面とが接触することになる。
【００３１】
このように、この実施の形態のペンタブレットは、図２（Ａ）、（Ｂ）のように、小さい傾斜角度で操作面１Ｓを傾けて使用する場合には、上述した構成により、ペンタブレットを安定に載置面に載置して、その状態を維持できる。また、この実施の形態のペンタブレットは、図３（Ａ）、（Ｂ）のように、大きい傾斜角度で操作面１Ｓを傾けて使用する場合でも、上述した構成により、ペンタブレットを安定に載置面に載置して、その状態を維持できる。
【００３２】
更に、図３（Ａ）に示したように、脚部１１ｂを収納するための溝部１０ｂの底部には、電子ペンに装着する交換用の芯体を保持する芯体保持部１４が設けられている。また、溝部１０ｂの底部には、電子ペンに装着された芯体を取り外すための芯抜き部１５が設けられている。
【００３３】
図４は、実施の形態のペンタブレットの底面図（図４（Ａ））と脚部１１ａ、１１ｂを含む部分の断面図（図４（Ｂ））と脚部１１ｂ部分の断面の拡大図（図４（Ｃ））である。すなわち、図４（Ｂ）は、図４（Ａ）のＡ−Ａ線でペンタブレットを切断した場合の断面図（Ａ−Ａ断面図）である。また、図４（Ｃ）は、図４（Ｂ）のＢ−Ｂで示した矩形部分の拡大図（Ｂ−Ｂ部分拡大図）である。図４（Ａ）、（Ｂ）、（Ｃ）においては、脚部１１ａ、１１ｂは、畳まれた状態を示している。また、図４（Ｂ）、（Ｃ）では、図の上側が操作面１Ｓになっている。
【００３４】
図４（Ｂ）のＡ−Ａ断面図に示したように、脚部１１ｂを収納する溝部１０ｂの底部（図４（Ｂ）においては、畳まれた脚部１１ｂの上側）には、更に凹部が設けられている。溝部１０ｂの底部に設けられた凹部が芯体保持部１４と芯抜き部１５を構成する。すなわち、４（Ｃ）のＢ−Ｂ部分拡大図に示すように、脚部１１ｂが収納される溝部１０ｂの底部には、更に凹部１４が設けられ、ここが芯体保持部１４になる。芯体保持部１４の右側にも芯体保持部１４より深さのある凹部１５が設けられ、ここが芯抜き部１５になる。
【００３５】
芯体保持部１４には、電子ペンの芯体を保持するための複数のスリットが設けられたスポンジ（図示せず）などの保持体が設けられる。当該保持体のスリットに芯体を挟み込ませることにより、図３（Ａ）の溝部１０ｂの部分に示したように芯体を安定に保持できる。また、芯抜き部１５は、図３（Ａ）の溝部１０ｂの部分に示したように、中央部分に孔部を有するいわゆるドーナツ形状の円形部材１５ａが固定されている。当該円形部材１５ａの孔部に電子ペンに装着された芯体の先端部を挿入し、芯体の先端部の周囲を孔部の周囲に引っ掛けるようにして、電子ペンを引き上げると、電子ペンに装着された芯体を簡単に引き抜くことができる。
【００３６】
図４（Ｃ）において、矢印ｂが示すように、脚部１１ｂを起こすことにより、芯体保持部１４及び芯抜き部１５が、図３（Ａ）に示したように外部に露呈する。この芯抜き部１５を利用して、電子ペンから装着されている芯体を抜き取り、芯体保持部１４から交換用の芯体を取り出して、電子ペンに装着することができる。従って、細くて短いために紛失したり、折れたりしやすい電子ペン用の芯体を、ペンタブレットと共に確実に持ち歩き、必要に応じて電子ペンの芯体を交換し、入力作業に使用を来たすことが無いようにできる。
【００３７】
［実施の形態の効果］
上述した実施の形態において説明したように、ペンタブレットの底面に、畳んだ状態と起こした状態に遷移可能な脚部１１ａ、１１ｂを設けている。これにより、脚部１１ａ、１１ｂを畳んだときには小さな傾斜角度で操作面１Ｓを傾斜させ、脚部１１ａ、１１ｂを起こしたときには大きな傾斜角度で操作面１Ｓを傾斜させることができる。すなわち、簡単な構成で、使用者の目的に応じて、小さな傾斜角度で操作面１Ｓを傾斜させたり、大きな傾斜角度で操作面１Ｓを傾斜させたりすることが簡単にできる。
【００３８】
また、脚部１１ａ、１１ｂの載置面と接触する部分である側面１１ａＳ、１１ｂＳ、底面１１ａＴ、１１ｂＴには、ラバー（ゴム）が貼付されている。これにより、脚部１１ａ、１１ｂを保護することができると共に、ペンタブレットが載置面において滑ることなく、安定して載置状態を維持できる。
【００３９】
また、脚部１１ｂが収納される溝部１０ｂを利用して、芯体保持部１４や芯抜き部１５を設けることができる。これにより、電子ペン用の細くて短いためになくしやすく、破損しやすい芯体を、ペンタブレットと共に、確実に持ち歩き、必要に応じて、芯体の交換を行うことができる。
【００４０】
［変形例］
なお、図２（Ａ）を用いて説明したように、脚部１１ａ、１１ｂを畳んだ状態において、脚部１１ａの長辺ａＴ１、ａＴ２と、脚部１１ｂの長辺ｂＴ１、ｂＴ２とは、底面１ＢＴの上端１ＪＴに対して平行となるようにした。しかし、これに限るものではない。脚部１１ａの長辺ａＴ１、ａＴ２の延長線と、脚部１１ｂの長辺ｂＴ１、ｂＴ２の延長線とが、底面１ＢＴの上端１ＪＴに対して交差するように、脚部１１ａ、１１ｂを設けてもよい。
【００４１】
具体的には、脚部１１ａ、１１ｂを、上端１ＪＴ側で狭くなる態様（「ハの字」型）になるように設けたり、脚部１１ａ、１１ｂを、上端１ＪＴ側で広くなる態様（「逆ハの字」型）になるように設けたりすることができる。もちろん、脚部１１ａの長辺ａＴ１、ａＴ２の延長線と、脚部１１ｂの長辺ｂＴ１、ｂＴ２の延長線とが、底面１ＢＴの上端１ＪＴに対して直交するように、脚部１１ａ、１１ｂを設けることも可能である。
【００４２】
しかし、脚部１１ａ、１１ｂを畳んだ状態において、脚部１１ａの長辺ａＴ１、ａＴ２と、脚部１１ｂの長辺ｂＴ１、ｂＴ２とは、底面１ＢＴの上端１ＪＴに対してできるだけ平行に近くなるようにすることが望ましい。ペンタブレットをがたつくことなく、安定に載置面上に載置して、その状態を維持できるようにするためである。
【００４３】
また、上述した実施の形態では、脚部１１ａ、１１ｂを起こすための始点を底面１ＢＴの外縁近傍に設けるようにした。これにより、図３（Ａ）に示したように、ペンタブレットの底面１ＢＴの内側から外側に向かって脚部１１ａ、１１ｂを起こすことができるが、これに限るものではない。逆に、脚部１１ａ、１１ｂを起こすための始点を底面１ＢＴの外縁からより離れた内側に設けることにより、ペンタブレットの底面１ＢＴの外側から内側に向かって脚部１１ａ、１１ｂを起こす態様とすることもできる。
【００４４】
なお、脚部１１ａの長辺ａＴ１、ａＴ２と、脚部１１ｂの長辺ｂＴ１、ｂＴ２との長さを調整することにより、操作面の傾きを大きく傾斜させる場合の傾斜角を調整できる。また、脚部１１ａと脚部１１ｂとの間に固定脚部１２を設けない態様とすることも可能である。
【符号の説明】
【００４５】
１Ａ…フロントパネル、１Ｂ…筐体、１Ｓ…操作面、１ＢＴ…底面、１ＪＴ…上端、２…ＬＣＤ、２Ｄ…表示画面、３…位置検出センサ、３Ｅ…検出エリア、４…マザーボード、１０ａ、１０ｂ…溝部、１１ａ、１１ｂ…脚部、１１ａＳ、１１ｂＳ…側面、１１ａＴ、１１ｂＴ…底面、ａＡ１１、ａＡ１２…厚み方向の辺、ｂＡ１１、ｂＡ１２…厚み方向の辺、ａＴ１、ａＴ２、ｂＴ１、ｂＴ２…長辺、ａＳ１１、ａＳ１２、ｂＳ１１、ｂＳ１２…短辺、１３ａ、１３ｂ…突起、１４…芯体保持部、１５…芯抜き部
【図１】
0003224999.tif 000003
【図２】
0003224999.tif 000004
【図３】
0003224999.tif 000005
【図４】
0003224999.tif 000006